(57)【要約】【課題】低コストで、かつ、スループットに影響を与えることなく記録媒体の識別を行い、さらに記録媒体のバタツキ等が少なく、記録媒体識別装置の焦点距離が安定し、媒体識別精度を向上させた記録装置を提供すること。【解決手段】キャリッジ１１に、光源５７および光電変換素子５６等から成る媒体読み取り部５０（あるいは媒体識別処理部６１を含めた記録媒体識別装置６０）を備え、該記録媒体識別装置６０の識別区域を紙送りローラ３０上に設ける。自動給紙部２はプラテン３５の下方に配設され、記録動作時の搬送方向が、該自動給紙部から搬送部３への給送方向と反対方向である。また、該構成において、自動給紙部２の給紙動作開始時（あるいは直後）に記録媒体識別処理を行い、記録媒体の給送中に記録データの作成を行う。【選択図】        図１
2004351653.tif 000002
【特許請求の範囲】
【請求項１】
記録ヘッドと、該記録ヘッドを搭載し主走査方向に往復移動させるキャリッジと、前記主走査方向と直交する副走査方向に記録媒体を搬送する紙送りローラと、を有する記録装置において、
前記キャリッジは、記録媒体の表面に当たるようにされた少なくとも一つの照明源と、該照明源によって照らされている前記記録媒体表面の区域から光を受け取る光電変換素子とを備え、
前記光電変換素子の出力に対応する信号を受けるための処理装置であって、前記信号を処理して前記記録媒体を識別する処理装置を備えた記録媒体識別装置を有し、
前記光電変換素子が光を受け取る記録媒体表面の区域が、前記紙送りローラ上であることを特徴とする記録装置。
【請求項２】
前記キャリッジが主走査方向に移動し、前記記録媒体識別装置により前記記録媒体の両端部を認識することで、前記記録媒体の幅寸法を検知することを特徴とする請求項１に記載の記録装置。
【請求項３】
前記記録媒体を給紙する給紙部を有し、該給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とする請求項１乃至請求項２に記載の記録装置。
【請求項４】
前記記録ヘッドに対向するように配設され、前記記録媒体を支持するためのプラテンを有し、前記プラテンの下に前記給紙部が配設され、
前記給紙部から給紙された前記記録媒体は、前記プラテンと前記紙送りローラの間に設けられた搬送路を通り、前記紙送りローラにニップされることを特徴とする請求項３に記載の記録装置。
【請求項５】
前記紙送りローラにニップされた前記記録媒体が装置内に給送される際に、前記記録媒体識別装置が前記記録媒体の先後端部を認識することで、前記記録媒体の長さ寸法を検知することを特徴とする請求項３乃至請求項４に記載の記録装置。
【請求項６】
前記記録ヘッドが、前記電気熱変換体によって印加される熱エネルギーにより、インクに生ずる膜沸騰を利用して吐出口よりインクを吐出させるインクジェット記録装置であって、
前記キャリッジに備えられた前記照明源および前記光電変換素子と、前記記録ヘッドの前記吐出口との間に、インクミスト防止壁を有することを特徴とする請求項１乃至請求項５に記載の記録装置。
【請求項７】
記録ヘッドと、該記録ヘッドを搭載し主走査方向に往復移動させるキャリッジと、前記主走査方向と直交する副走査方向に記録媒体を搬送する紙送りローラと、前記記録媒体を給紙する給紙部と、を有する記録装置において、
記録媒体の表面に当たるようにされた少なくとも一つの照明源と、該照明源によって照らされている前期記録媒体表面の区域から光を受け取る光電変換素子と、前記光電変換素子の出力に対応する信号を受けるための処理装置であって、前記信号を処理して前記記録媒体を識別する処理装置を備えた記録媒体識別装置と、を有し、
前記給紙部による給紙動作を開始する段階で前記記録媒体識別装置による紙種検知を行うことを特徴とする記録装置。
【請求項８】
前記キャリッジが、前記照明源と前記光電変換素子とを備えることを特徴とする請求項７に記載の記録装置。
【請求項９】
前記キャリッジが主走査方向に移動し、前記記録媒体識別装置により記録媒体の両端部を認識することで、記録媒体の幅寸法を検知することを特徴とする請求項８に記載の記録装置。
【請求項１０】
前記光電変換素子が光を受け取る記録媒体表面の区域が、前記紙送りローラ上であることを特徴とする請求項８乃至請求項９に記載の記録装置。
【請求項１１】
前記給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とする請求項７乃至請求項１０に記載の記録装置。
【請求項１２】
前記記録ヘッドに対向するように配設され、前記記録媒体を支持するためのプラテンを有し、前記プラテンの下に前記給紙部が配設され、
前記給紙部から給紙された前記記録媒体は、前記プラテンと前記紙送りローラの間に設けられた搬送路を通り、前記紙送りローラにニップされることを特徴とする請求項１１に記載の記録装置。
【請求項１３】
前記紙送りローラにニップされた前記記録媒体が搬送される際に、前記記録媒体識別装置が前記記録媒体の先後端部を認識することで、記録媒体の長さ寸法を検知することを特徴とする請求項１１乃至請求項１２に記載の記録装置。
【請求項１４】
前記記録ヘッドが、前記電気熱変換体によって印加される熱エネルギーにより、インクに生ずる膜沸騰を利用して吐出口よりインクを吐出させるインクジェット記録装置であって、
前記キャリッジに備えられた前記照明源および前記光電変換素子と、前記記録ヘッドの前記吐出口との間に、インクミスト防止壁を有することを特徴とする請求項７乃至請求項１３に記載の記録装置。
【請求項１５】
記録ヘッドと、該記録ヘッドを搭載し主走査方向に往復移動させるキャリッジと、前記主走査方向と直交する副走査方向に記録媒体を搬送する紙送りローラと、を有する記録装置において、
記録媒体の表面に当たるようにされた少なくとも一つの照明源と、該照明源によって照らされている前期記録媒体表面の区域から光を受け取る光電変換素子と、前記光電変換素子の出力に対応する信号を受けるための処理装置であって、前記信号を処理して前記記録媒体を識別する処理装置を備えた記録媒体識別装置と、を有し、
前記記録媒体識別装置から信号を受けるプリンタ制御装置を有し、前記プリンタ制御装置から信号を受信し前記記録媒体識別装置により識別した前記記録媒体に最適な記録データを作成する記録データ作成部を有し、
前記給紙部からの給紙動作の際に紙種検知を行い、該紙種情報を前記記録媒体識別装置からプリンタ制御部に送信し、
前記記録媒体が、前記紙送りローラの回転によって装置内に給送され、前記給紙部を完全に抜けた後に前記給送方向と反対方向に搬送され、前記記録ヘッドによる記録開始位置にセットされるまでの給紙時間中に、前記記録データ作成部が前記記録データを作成することを特徴とする記録装置。
【請求項１６】
前記データ作成部が、記録装置内部に備わっていることを特徴とする請求項１５に記載の記録装置。
【請求項１７】
前記データ作成部が、該記録装置が接続されているパーソナルコンピュータ（ＰＣ）に備わっていることを特徴とする請求項１５に記載の記録装置。
【請求項１８】
前記キャリッジが、前記照明源と前記光電変換素子とを備えることを特徴とする請求項１５乃至請求項１７に記載の記録装置。
【請求項１９】
前記キャリッジが主走査方向に移動し、前記記録媒体識別装置により記録媒体の両端部を認識することで、記録媒体の幅寸法を検知することを特徴とする請求項１８に記載の記録装置。
【請求項２０】
前記光電変換素子が光を受け取る記録媒体表面の区域が、前記紙送りローラ上であることを特徴とする請求項１８乃至請求項１９に記載の記録装置。
【請求項２１】
前記記録媒体を給紙する給紙部を有し、該給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とする請求項１５乃至請求項２０に記載の記録装置。
【請求項２２】
前記記録ヘッドに対向するように配設され、前記記録媒体を支持するためのプラテンを有し、前記プラテンの下に前記給紙部が配設され、
前記給紙部から給紙された前記記録媒体は、前記プラテンと前記紙送りローラの間に設けられた搬送路を通り、前記紙送りローラにニップされることを特徴とする請求項２１に記載の記録装置。
【請求項２３】
前記紙送りローラにニップされた前記記録媒体が搬送される際に、前記記録媒体識別装置が前記記録媒体の先後端部を認識することで、記録媒体の長さ寸法を検知することを特徴とする請求項２１乃至請求項２２に記載の記録装置。
【請求項２４】
前記記録ヘッドが、前記電気熱変換体によって印加される熱エネルギーにより、インクに生ずる膜沸騰を利用して吐出口よりインクを吐出させるインクジェット記録装置であって、
前記キャリッジに備えられた前記照明源および前記光電変換素子と、前記記録ヘッドの前記吐出口との間に、インクミスト防止壁を有することを特徴とする請求項１５乃至請求項２３に記載の記録装置。
【発明の詳細な説明】
【０００１】
【発明の属する技術分野】
本発明は、例えばプリンタ・複写機・印刷装置等の記録装置・画像形成装置等において、記録記録媒体の種類、あるいは記録記録媒体サイズを検出する検出手段を含む記録装置に関するものである。
【０００２】
【従来の技術】
従来より、パーソナルコンピュータなどのホストコンピュータと、それに接続されているインクジェットプリンタなどの記録装置を有して構成される記録システムでは、記録装置は、ホストコンピュータのプリンタドライバ上で設定されて送られてくる記録データの他、その種類や記録媒体の種類を示すデータを受け取り、この受け取ったデータに対応した打ち込み制御を行うものが知られている。この場合、ユーザは、記録を行う際は、記録媒体の種類、あるいはサイズをホストコンピュータ上で設定する必要があった。
【０００３】
しかし、このようなホストコンピュータ上での記録媒体の種類やサイズの設定は多様であるため、設定のための操作が煩雑になることが多い。その結果、ユーザが記録媒体の種類等の設定を誤ることも多かった。このように、ユーザが記録媒体の種類を誤って設定し、そのまま記録を行うと、例えばインクジェットプリンタでは、記録媒体の種類によってインク受容層の材質や構造が異なり、その結果、記録媒体のインク受容層と記録装置のインク打ち込み制御とが適合せず、例えば、打ち込んだインクが溢れて画像ににじみが発生したり、逆にインクの打ち込み量が少なくて画像にかすれが発生したりする場合がある。また、記録媒体のサイズが異なれば、ユーザが所望の出力結果を得られず記録媒体を無駄にしてしまうばかりでなく、インクジェットプリンタ内のプラテンにインクが着弾しプラテンが汚れ、プリンタ内部の清掃が必要となったり、あるいは、プリンタ内部に大量のインクが霧状に浮遊し、プリンタ自体が不具合を起こす原因ともなってしまう。
【０００４】
また、最近になってホストを介さずに直接画像入出力機器間を接続し、データのやりとりができるようなシステムが提供されてきている。例えば、デジタルカメラとプリンタを直接接続するダイレクトプリントシステムがあり、プリントする際は、デジタルカメラあるいはプリンタを操作することで、プリントアウト動作を可能とするものである。この場合にも、記録媒体の種類およびサイズの設定は煩雑化しており、より簡潔な操作性が求められている。
【０００５】
このような問題を解決する記録装置として、例えば、特開平５−１６４６２号公報、特開平８−４８４３８号公報等に開示されているように、記録ヘッドを搭載するキャリッジに光学センサユニットを設け、給紙装置から給送されてきた記録媒体をプラテン上に搬送し、光学センサユニットにより記録媒体を識別するものが提案されている。
【０００６】
また、特開２００１−１０１５１号公報に開示されているように、記録媒体のサイズを識別するためにキャリッジに光学センサユニットを設け、給紙装置から給送されてきた記録媒体をプラテン上に搬送し、キャリッジを主走査させることで、記録媒体の幅寸法を測定するものも提案されている。また、記録媒体の長さ寸法の測定には、別途、光学センサユニットを追加することで、記録媒体のサイズを識別している。
【０００７】
【発明が解決しようとする課題】
しかしながら、上記のような記録装置では、記録媒体の種類やサイズを識別が、プラテン上で行われ、記録媒体の給送は印刷開始位置に到達しているにもかかわらず、記録媒体識別処理のための時間の分だけ、スループットに影響が出てしまう。また、記録媒体の種類によっては、記録媒体がプラテン上でコックリングや紙浮き等で高さ方向に暴れてしまうため、記録媒体識別装置の焦点距離が不安定になり、正確な媒体識別ができないことがあり得る。あるいは、長さ寸法を測定するために、別のセンサを追加するなどしており、コストアップ要因となっている。
【０００８】
本発明は、上述のような問題に鑑み、低コストで、かつ、スループットに影響を与えることなく記録媒体の識別を行い、さらに媒体識別精度を向上させた記録装置を提供するものである。
【０００９】
【課題を解決するための手段】
本発明は上記課題を解決するために考案された下記の構成を特徴とする。
【００１０】
（１）記録ヘッドと、該記録ヘッドを搭載し主走査方向に往復移動させるキャリッジと、前記主走査方向と直交する副走査方向に記録媒体を搬送する紙送りローラと、を有する記録装置において、前記キャリッジは、記録媒体の表面に当たるようにされた少なくとも一つの照明源と、該照明源によって照らされている前記記録媒体表面の区域から光を受け取る光電変換素子とを備え、前記光電変換素子の出力に対応する信号を受けるための処理装置であって、前記信号を処理して前記記録媒体を識別する処理装置を備えた記録媒体識別装置を有し、前記光電変換素子が光を受け取る記録媒体表面の区域が、前記紙送りローラ上であることを特徴とする記録装置。
【００１１】
（２）上記（１）に記載の記録装置において、前記キャリッジが主走査方向に移動し、前記記録媒体識別装置により前記記録媒体の両端部を認識することで、前記記録媒体の幅寸法を検知することを特徴とする記録装置。
【００１２】
（３）上記（１）乃至（２）に記載の記録装置において、前記記録媒体を給紙する給紙部を有し、該給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とする記録装置。
【００１３】
（４）上記（３）に記載の記録装置において、前記記録ヘッドに対向するように配設され、前記記録媒体を支持するためのプラテンを有し、前記プラテンの下に前記給紙部が配設され、前記給紙部から給紙された前記記録媒体は、前記プラテンと前記紙送りローラの間に設けられた搬送路を通り、前記紙送りローラにニップされることを特徴とする記録装置。
【００１４】
（５）上記（３）乃至（４）に記載の記録装置において、前記紙送りローラにニップされた前記記録媒体が装置内に給送される際に、前記記録媒体識別装置が前記記録媒体の先後端部を認識することで、前記記録媒体の長さ寸法を検知することを特徴とする記録装置。
【００１５】
（６）上記（１）乃至（５）に記載の記録装置において、前記記録ヘッドが、前記電気熱変換体によって印加される熱エネルギーにより、インクに生ずる膜沸騰を利用して吐出口よりインクを吐出させるインクジェット記録装置であって、前記キャリッジに備えられた前記照明源および前記光電変換素子と、前記記録ヘッドの前記吐出口との間に、インクミスト防止壁を有することを特徴とする記録装置。
【００１６】
（７）記録ヘッドと、該記録ヘッドを搭載し主走査方向に往復移動させるキャリッジと、前記主走査方向と直交する副走査方向に記録媒体を搬送する紙送りローラと、前記記録媒体を給紙する給紙部と、を有する記録装置において、記録媒体の表面に当たるようにされた少なくとも一つの照明源と、該照明源によって照らされている前期記録媒体表面の区域から光を受け取る光電変換素子と、前記光電変換素子の出力に対応する信号を受けるための処理装置であって、前記信号を処理して前記記録媒体を識別する処理装置を備えた記録媒体識別装置と、を有し、前記給紙部による給紙動作を開始する段階で前記記録媒体識別装置による紙種検知を行うことを特徴とする記録装置。
【００１７】
（８）上記（７）に記載の記録装置において、前記キャリッジが、前記照明源と前記光電変換素子とを備えることを特徴とする記録装置。
【００１８】
（９）上記（８）に記載の記録装置において、前記キャリッジが主走査方向に移動し、前記記録媒体識別装置により記録媒体の両端部を認識することで、記録媒体の幅寸法を検知することを特徴とする記録装置。
【００１９】
（１０）上記（８）乃至（９）に記載の記録装置において、前記光電変換素子が光を受け取る記録媒体表面の区域が、前記紙送りローラ上であることを特徴とする記録装置。
【００２０】
（１１）上記（７）乃至（１０）に記載の記録装置において、前記給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とする記録装置。
【００２１】
（１２）上記（１１）に記載の記録装置において、前記記録ヘッドに対向するように配設され、前記記録媒体を支持するためのプラテンを有し、前記プラテンの下に前記給紙部が配設され、前記給紙部から給紙された前記記録媒体は、前記プラテンと前記紙送りローラの間に設けられた搬送路を通り、前記紙送りローラにニップされることを特徴とする記録装置。
【００２２】
（１３）上記（１１）乃至（１２）に記載の記録装置において、前記紙送りローラと前記ピンチローラにニップされた前記記録媒体が搬送される際に、前記記録媒体識別装置が前記記録媒体の先後端部を認識することで、記録媒体の長さ寸法を検知することを特徴とする記録装置。
【００２３】
（１４）上記（７）乃至（１３）に記載の記録装置において、前記記録ヘッドが、前記電気熱変換体によって印加される熱エネルギーにより、インクに生ずる膜沸騰を利用して吐出口よりインクを吐出させるインクジェット記録装置であって、前記キャリッジに備えられた前記照明源および前記光電変換素子と、前記記録ヘッドの前記吐出口との間に、インクミスト防止壁を有することを特徴とする記録装置。
【００２４】
（１５）記録ヘッドと、該記録ヘッドを搭載し主走査方向に往復移動させるキャリッジと、前記主走査方向と直交する副走査方向に記録媒体を搬送する紙送りローラと、を有する記録装置において、記録媒体の表面に当たるようにされた少なくとも一つの照明源と、該照明源によって照らされている前期記録媒体表面の区域から光を受け取る光電変換素子と、前記光電変換素子の出力に対応する信号を受けるための処理装置であって、前記信号を処理して前記記録媒体を識別する処理装置を備えた記録媒体識別装置と、を有し、前記記録媒体識別装置から信号を受けるプリンタ制御装置を有し、前記プリンタ制御装置から信号を受信し前記記録媒体識別装置により識別した前記記録媒体に最適な記録データを作成する記録データ作成部を有し、前記給紙部からの給紙動作の際に紙種検知を行い、該紙種情報を前記記録媒体識別装置からプリンタ制御部に送信し、前記記録媒体が、前記紙送りローラの回転によって装置内に給送され、前記給紙部を完全に抜けた後に前記給送方向と反対方向に搬送され、前記記録ヘッドによる記録開始位置にセットされるまでの給紙時間中に、前記記録データ作成部が前記記録データを作成することを特徴とする記録装置。
【００２５】
（１６）上記（１５）に記載の記録装置において、前記データ作成部が、記録装置内部に備わっていることを特徴とする記録装置。
【００２６】
（１７）上記（１５）に記載の記録装置において、前記データ作成部が、該記録装置が接続されているパーソナルコンピュータ（ＰＣ）に備わっていることを特徴とする記録装置。
【００２７】
（１８）上記（１５）乃至（１７）に記載の記録装置において、前記キャリッジが、前記照明源と前記光電変換素子とを備えることを特徴とする記録装置。
【００２８】
（１９）上記（１８）に記載の記録装置において、前記キャリッジが主走査方向に移動し、前記記録媒体識別装置により記録媒体の両端部を認識することで、記録媒体の幅寸法を検知することを特徴とする記録装置。
【００２９】
（２０）上記（１８）乃至（１９）に記載の記録装置において、前記光電変換素子が光を受け取る記録媒体表面の区域が、前記紙送りローラ上であることを特徴とする記録装置。
【００３０】
（２１）上記（１５）乃至（２０）に記載の記録装置において、前記記録媒体を給紙する給紙部を有し、該給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とする記録装置。
【００３１】
（２２）上記（２１）に記載の記録装置において、前記記録ヘッドに対向するように配設され、前記記録媒体を支持するためのプラテンを有し、前記プラテンの下に前記給紙部が配設され、前記給紙部から給紙された前記記録媒体は、前記プラテンと前記紙送りローラの間に設けられた搬送路を通り、前記紙送りローラにニップされることを特徴とする記録装置。
【００３２】
（２３）上記（２１）乃至（２２）に記載の記録装置において、前記紙送りローラにニップされた前記記録媒体が搬送される際に、前記記録媒体識別装置が前記記録媒体の先後端部を認識することで、記録媒体の長さ寸法を検知することを特徴とする記録装置。
【００３３】
（２４）上記（１５）乃至（２３）に記載の記録装置において、前記記録ヘッドが、前記電気熱変換体によって印加される熱エネルギーにより、インクに生ずる膜沸騰を利用して吐出口よりインクを吐出させるインクジェット記録装置であって、前記キャリッジに備えられた前記照明源および前記光電変換素子と、前記記録ヘッドの前記吐出口との間に、インクミスト防止壁を有することを特徴とする記録装置。
【００３４】
（作用）
即ち、上記（１）の発明によれば、記録ヘッドと、該記録ヘッドを搭載し主走査方向に往復移動させるキャリッジと、前記主走査方向と直交する副走査方向に記録媒体を搬送する紙送りローラと、を有する記録装置において、前記キャリッジは、記録媒体の表面に当たるようにされた少なくとも一つの照明源と、該照明源によって照らされている前記記録媒体表面の区域から光を受け取る光電変換素子とを備え、前記光電変換素子の出力に対応する信号を受けるための処理装置であって、前記信号を処理して前記記録媒体を識別する処理装置を備えた記録媒体識別装置を有し、前記光電変換素子が光を受け取る記録媒体表面の区域が、前記紙送りローラ上であることを特徴とするため、記録媒体のバタツキ等が少なく、記録媒体識別装置の焦点距離が安定し、媒体識別精度が向上でき、かつ、記録媒体の搬送路と記録媒体の識別するタイミングの設定に自由度を与えることができ、スループットに影響を与えることなく記録媒体識別処理を行うことが可能である。
【００３５】
また、上記（２）の発明によれば、前記キャリッジが主走査方向に移動し、前記記録媒体識別装置により前記記録媒体の両端部を認識することで、前記記録媒体の幅寸法を検知することを特徴とするため、記録媒体の幅寸法検出のために、別のセンサを追加する必要がないため、記録装置のコストダウンが可能である。
【００３６】
また、上記（３）の発明によれば、前記記録媒体を給紙する給紙部を有し、該給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とするため、記録装置サイズのコンパクト化を行うことができ、且つ、スループットに影響を与えることなく記録媒体識別処理を行うことが可能である。
【００３７】
また、上記（４）の発明によれば、前記記録ヘッドに対向するように配設され、前記記録媒体を支持するためのプラテンを有し、前記プラテンの下に前記給紙部が配設され、前記給紙部から給紙された前記記録媒体は、前記プラテンと前記紙送りローラの間に設けられた搬送路を通り、前記紙送りローラにニップされることを特徴とするため、記録装置サイズのコンパクト化を行うことができ、且つ、スループットに影響を与えることなく記録媒体識別処理を行うことが可能である。
【００３８】
また、上記（５）の発明によれば、前記紙送りローラにニップされた前記記録媒体が装置内に給送される際に、前記記録媒体識別装置が前記記録媒体の先後端部を認識することで、前記記録媒体の長さ寸法を検知することを特徴とするため、記録媒体の長さ寸法検出のために、別のセンサを追加する必要がないため、記録装置のコストダウンが可能である。
【００３９】
また、上記（６）の発明によれば、前記記録ヘッドが、前記電気熱変換体によって印加される熱エネルギーにより、インクに生ずる膜沸騰を利用して吐出口よりインクを吐出させるインクジェット記録装置であって、前記キャリッジに備えられた前記照明源および前記光電変換素子と、前記記録ヘッドの前記吐出口との間に、インクミスト防止壁を有することを特徴とするため、前記照明源および前記光電変換素子のインクミストによるインク汚れを防止することができ、耐久性の向上が可能である。
【００４０】
また、上記（７）の発明によれば、記録ヘッドと、該記録ヘッドを搭載し主走査方向に往復移動させるキャリッジと、前記主走査方向と直交する副走査方向に記録媒体を搬送する紙送りローラと、前記記録媒体を給紙する給紙部と、を有する記録装置において、記録媒体の表面に当たるようにされた少なくとも一つの照明源と、該照明源によって照らされている前期記録媒体表面の区域から光を受け取る光電変換素子と、前記光電変換素子の出力に対応する信号を受けるための処理装置であって、前記信号を処理して前記記録媒体を識別する処理装置を備えた記録媒体識別装置と、を有し、前記給紙部による給紙動作を開始する段階で前記記録媒体識別装置による紙種検知を行うことを特徴とするため、スループットに影響を与えることなく記録媒体識別処理を行うことが可能である。
【００４１】
また、上記（８）の発明によれば、前記キャリッジが、前記照明源と前記光電変換素子とを備えることを特徴とするため、記録媒体の搬送路に自由度を与えることが可能である。
【００４２】
また、上記（９）の発明によれば、前記キャリッジが主走査方向に移動し、前記記録媒体識別装置により記録媒体の両端部を認識することで、記録媒体の幅寸法を検知することを特徴とするため、記録媒体の幅寸法検出のために、別のセンサを追加する必要がないため、記録装置のコストダウンが可能である。
【００４３】
また、上記（１０）の発明によれば、前記光電変換素子が光を受け取る記録媒体表面の区域が、前記紙送りローラ上であることを特徴とするため、記録媒体のバタツキ等が少なく、記録媒体識別装置の焦点距離が安定し、媒体識別精度が向上でき、かつ、記録媒体の搬送路と記録媒体の識別するタイミングの設定に自由度を与えることができ、スループットに影響を与えることなく記録媒体識別処理を行うことが可能である。
【００４４】
また、上記（１１）の発明によれば、前記給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とするため、記録装置サイズのコンパクト化を行うことができ、且つ、スループットに影響を与えることなく記録媒体識別処理を行うことが可能である。
【００４５】
また、上記（１２）の発明によれば、前記記録ヘッドに対向するように配設され、前記記録媒体を支持するためのプラテンを有し、前記プラテンの下に前記給紙部が配設され、前記給紙部から給紙された前記記録媒体は、前記プラテンと前記紙送りローラの間に設けられた搬送路を通り、前記紙送りローラにニップされることを特徴とするため、記録装置サイズのコンパクト化を行うことができ、且つ、スループットに影響を与えることなく記録媒体識別処理を行うことが可能である。
【００４６】
また、上記（１３）の発明によれば、前記紙送りローラと前記ピンチローラにニップされた前記記録媒体が搬送される際に、前記記録媒体識別装置が前記記録媒体の先後端部を認識することで、記録媒体の長さ寸法を検知することを特徴とするため、記録媒体の長さ寸法検出のために、別のセンサを追加する必要がないため、記録装置のコストダウンが可能である。
【００４７】
また、上記（１４）の発明によれば、前記記録ヘッドが、前記電気熱変換体によって印加される熱エネルギーにより、インクに生ずる膜沸騰を利用して吐出口よりインクを吐出させるインクジェット記録装置であって、前記キャリッジに備えられた前記照明源および前記光電変換素子と、前記記録ヘッドの前記吐出口との間に、インクミスト防止壁を有することを特徴とするため、前記照明源および前記光電変換素子のインクミストによるインク汚れを防止することができ、耐久性の向上が可能である。
【００４８】
また、上記（１５）の発明によれば、記録ヘッドと、該記録ヘッドを搭載し主走査方向に往復移動させるキャリッジと、前記主走査方向と直交する副走査方向に記録媒体を搬送する紙送りローラと、を有する記録装置において、記録媒体の表面に当たるようにされた少なくとも一つの照明源と、該照明源によって照らされている前期記録媒体表面の区域から光を受け取る光電変換素子と、前記光電変換素子の出力に対応する信号を受けるための処理装置であって、前記信号を処理して前記記録媒体を識別する処理装置を備えた記録媒体識別装置と、を有し、前記記録媒体識別装置から信号を受けるプリンタ制御装置を有し、前記プリンタ制御装置から信号を受信し前記記録媒体識別装置により識別した前記記録媒体に最適な記録データを作成する記録データ作成部を有し、前記給紙部からの給紙動作の際に紙種検知を行い、該紙種情報を前記記録媒体識別装置からプリンタ制御部に送信し、前記記録媒体が、前記紙送りローラの回転によって装置内に給送され、前記給紙部を完全に抜けた後に前記給送方向と反対方向に搬送され、前記記録ヘッドによる記録開始位置にセットされるまでの給紙時間中に、前記記録データ作成部が前記記録データを作成することを特徴とするため、スループットに影響を与えることなく、記録媒体識別処理から記録データ作成を行うことが可能である。
【００４９】
また、上記（１６）の発明によれば、前記データ作成部が、記録装置内部に備わっていることを特徴とするため、ホストが不要で、記録装置内部でクローズしたシステムの構築が可能である。
【００５０】
また、上記（１７）の発明によれば、前記データ作成部が、該記録装置が接続されているパーソナルコンピュータ（ＰＣ）に備わっていることを特徴とするため、記録装置の制御装置を簡略化でき、コストダウンが可能である。
【００５１】
また、上記（１８）の発明によれば、前記キャリッジが、前記照明源と前記光電変換素子とを備えることを特徴とするため、記録媒体の搬送路に自由度を与えることが可能である。
【００５２】
また、上記（１９）の発明によれば、前記キャリッジが主走査方向に移動し、前記記録媒体識別装置により記録媒体の両端部を認識することで、記録媒体の幅寸法を検知することを特徴とするため、記録媒体の幅寸法検出のために、別のセンサを追加する必要がないため、記録装置のコストダウンが可能である。
【００５３】
また、上記（２０）の発明によれば、前記光電変換素子が光を受け取る記録媒体表面の区域が、前記紙送りローラ上であることを特徴とするため、記録媒体のバタツキ等が少なく、記録媒体識別装置の焦点距離が安定し、媒体識別精度が向上でき、かつ、記録媒体の搬送路と記録媒体の識別するタイミングの設定に自由度を与えることができ、スループットに影響を与えることなく記録媒体識別処理を行うことが可能である。
【００５４】
また、上記（２１）の発明によれば、前記記録媒体を給紙する給紙部を有し、該給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とするため、記録装置サイズのコンパクト化を行うことができ、且つ、スループットに影響を与えることなく記録媒体識別処理を行うことが可能である。
【００５５】
また、上記（２２）の発明によれば、前記記録ヘッドに対向するように配設され、前記記録媒体を支持するためのプラテンを有し、前記プラテンの下に前記給紙部が配設され、前記給紙部から給紙された前記記録媒体は、前記プラテンと前記紙送りローラの間に設けられた搬送路を通り、前記紙送りローラにニップされることを特徴とするため、記録装置サイズのコンパクト化を行うことができ、且つ、スループットに影響を与えることなく記録媒体識別処理を行うことが可能である。
【００５６】
また、上記（２３）の発明によれば、前記紙送りローラにニップされた前記記録媒体が搬送される際に、前記記録媒体識別装置が前記記録媒体の先後端部を認識することで、記録媒体の長さ寸法を検知することを特徴とするため、記録媒体の長さ寸法検出のために、別のセンサを追加する必要がないため、記録装置のコストダウンが可能である。
【００５７】
また、上記（２４）の発明によれば、前記記録ヘッドが、前記電気熱変換体によって印加される熱エネルギーにより、インクに生ずる膜沸騰を利用して吐出口よりインクを吐出させるインクジェット記録装置であって、前記キャリッジに備えられた前記照明源および前記光電変換素子と、前記記録ヘッドの前記吐出口との間に、インクミスト防止壁を有することを特徴とするため、前記照明源および前記光電変換素子のインクミストによるインク汚れを防止することができ、耐久性の向上が可能である。
【００５８】
【発明の実施の形態】
（実施例１）
以下、本発明の実施の形態について図面を参照して説明する。
【００５９】
（装置構成）
図１は本実施例の要部を示した概略図である。
【００６０】
本実施例における記録装置は、記録媒体Ｐを装置本体内へと自動的に給紙する自動給紙部２と、自動給紙部２から１枚ずつ送出される記録媒体Ｐを所望の記録位置へと導くと共に、記録位置から排出部へと記録媒体Ｐを導く搬送部３と、搬送部３に搬送された記録媒体Ｐに所望の記録を行う記録部１と、前記記録部１等に対する回復処理を行う回復部（不図示）とから構成されている。
【００６１】
自動給紙部２は、主に、給紙ローラ２０、分離部２１、記録媒体積載部２２等で構成され、また、自動給紙部２は、後述のプラテン３５の下方に配設されている。自動給紙部２から搬送部３への記録媒体Ｐの給送路２５は、後述の紙送りローラ３０およびガイド部材３６とプラテン３５の間に設けられている。
【００６２】
搬送部３は、主に、紙送りローラ３０、ピンチローラ３１、排紙ローラ３２、拍車３３、紙送りモータ３４、プラテン３５、およびガイド部材３６および３７等で構成される。
【００６３】
紙送りローラ３０はギアトレイン３８および３９を介して紙送りモータ３４の駆動により回転可能である。また、ピンチローラ３１はピンチローラホルダ（不図示）の先端部に回転可能に軸支されており、ピンチローラホルダを付勢するピンチローラバネ（不図示）により、紙送りローラ３０に圧接され、紙送りローラ３０と従動して回転可能である。
【００６４】
自動給紙部２から送出された記録媒体Ｐを一度装置背面方向（図中矢印Ａ方向）へ搬送可能なようにガイド部材３７が構成され、さらに、記録媒体Ｐが搬送されたときに搬送負荷とならぬよう、装置背面には排紙口（不図示）が設けられている。また、記録動作時には、反対方向（図中矢印Ｂ方向）に搬送するようになっている。
【００６５】
プラテン３５は後述する記録ヘッド１０に対向するように配設され、記録媒体Ｐは紙送りローラ３０の回転により、プラテン３５に沿って搬送可能なように構成されている。
【００６６】
排紙ローラ３２、および排紙ローラ３２に対向するように設けられた拍車３３は、プラテン３５の記録媒体搬送方向（図中矢印Ｂ方向）下流側に構成されており、後述する記録部１で記録した記録媒体Ｐを排紙トレイ４０に排出する。
【００６７】
記録部１は、記録ヘッド１０、記録ヘッド１０を搭載しガイド軸１４に沿って走査するキャリッジ１１、キャリッジモータ１２等で構成されている。
【００６８】
記録ヘッド１０は、特にインクジェット記録方式の中でも、インク吐出を行わせるために利用されるエネルギーとして熱エネルギーを発生する手段（例えば電気熱変換体やレーザ光等）を備え、その熱エネルギーによりインクの状態変化を生起させる方式を用いることにより記録の高密度化、高精細化を達成している。
【００６９】
キャリッジ１１には、媒体読み取り部５０が設けられており、記録ヘッド１０との間には、記録ヘッド１０から吐出されたインク滴のうち、記録媒体Ｐに着弾せず装置内に浮遊しインクミストとなったインク滴が媒体読み取り部５０に付着しないように、インクミスト防止壁１５が設けられている。媒体読み取り部５０は図中矢印Ｃ方向に向けられており、紙送りローラ３０上を識別区域としている。
【００７０】
なお、後述する媒体識別処理部６１と媒体読み取り部５０から成る記録媒体識別装置６０がキャリッジ１１に設けられていてもよい。
【００７１】
記録媒体識別装置６０は、主に媒体読み取り部５０と媒体識別処理部６１から成り、図２は媒体読み取り部５０の概略断面図を示したものである。５１は電気回路を含んだ媒体読み取り部筐体である。照明レンズ５２は、光源５７、例えばＬＥＤからの光が、記録媒体Ｐの識別区域である紙送りローラ３０上を照らすように配設されている。５３および５４は、画像を読み取るための結像レンズであり、鏡筒５５に保持されている。光電変換素子５６は結像レンズ５３および５４で集めた光を電気信号に変換し、媒体識別処理部６１に送信する。光電変換素子５６は、ＣＣＤあるいはＣＭＯＳデバイスのような複数の光電画像検知デバイスを配列して成るものである。
【００７２】
（媒体識別動作）
図３は記録装置の構成要素のブロック図である。
【００７３】
光電変換素子５６は、媒体識別処理部６１に入力を供給するアナログ・デジタル変換器６２に接続されている。媒体識別処理部６１は光源５７にも接続されている。媒体識別処理部６１は、光源５７及び画像読み取りのシーケンスを含む測定プロセスを制御し、デジタル化された光電変換素子５６の検出値を処理する。図３に示した実施形態では、媒体識別処理部６１は、プリンタ制御装置７０に接続されている。媒体識別処理部６１は、実際上は、プリンタ制御装置７０であってもよい。
【００７４】
媒体読み取り部５０により紙送りローラ３０上の画像検出を行い、検出値をアナログ・デジタル変換器６２介して媒体識別処理部６１に送信する。媒体識別処理部６１は受信した画像検出値から、紙送りローラ３０上の記録媒体Ｐの有無、および、記録媒体Ｐの種類を特定する。
【００７５】
紙送りローラ３０上に記録媒体Ｐが有り、且つ、記録媒体Ｐの種類が特定されたら、特定された記録媒体Ｐの種類情報をプリンタ制御装置７０の入出力部７１より、プリントデータ作成部７２に送信する。プリントデータ作成部７２は、プリンタ本体が接続されているホスト・コンピュータであっても、プリンタ本体内に備えられた画像処理装置であってもよい。
【００７６】
図３には、自動給紙部２、記録ヘッド１０、搬送部３（紙送りモータ３４）およびキャリッジ１１（キャリッジモータ１２）を制御するプリンタ制御装置７０が示されている。プリンタの他の要素も特定の記録媒体Ｐの識別に応答してプリンタ制御装置７０により制御される。
【００７７】
（装置動作）
次に、図４の動作フローチャートに沿って、本実施例の動作について説明する。
【００７８】
プリンタ制御装置７０がホストコンピュータから印刷命令を受信し、システムが起動する（Ｓｔｅｐ１）。システムが起動すると、記録媒体識別装置６０が起動し、媒体読み取り部５０を備えたキャリッジ１１が記録媒体検出ポジションに移動する。キャリッジ１１が記録媒体検出ポジションに到達すると、記録媒体識別装置６０は光源５７をＯＮにし（Ｓｔｅｐ２）、媒体読み取り部５０が光源５７により照らされている紙送りローラ３０上の識別区域の画像検出を始める（Ｓｔｅｐ３）。
【００７９】
プリンタ制御装置７０は記録媒体識別装置６０の起動を確認すると、自動給紙部２から給紙動作を開始する（Ｓｔｅｐ４）。分離部２１により１枚に分離された記録媒体Ｐは、プラテン３５と紙送りローラ３０との間に設けられた給送路へと導かれる。
【００８０】
また、給紙動作が開始されると、記録媒体識別装置６０は記録媒体有無の検出を始め、情報をプリンタ制御装置７０に返す（Ｓｔｅｐ５）。
【００８１】
記録媒体Ｐが記録媒体識別装置６０の識別区域内に進入すると、記録媒体識別装置６０は記録媒体有りを認識し、プリンタ制御装置７０に送信する（Ｓｔｅｐ６）。プリンタ制御装置７０はこの情報から、記録媒体Ｐの先端が到達した時間情報を記録する。
【００８２】
続いて、記録媒体Ｐは紙送りローラ３０およびピンチローラ３１にニップされ、プリンタ本体内に給送される（Ｓｔｅｐ７）。このとき、記録媒体識別装置６０は識別区域を通過する記録媒体Ｐ速度情報を取得し、プリンタ制御装置７０は、速度情報と給送時間から記録媒体Ｐの搬送距離を算出している。
【００８３】
紙送りローラ３０による給送が始まり一定距離進んだところで紙送りを一旦停止し（Ｓｔｅｐ８）、記録媒体識別装置６０による記録媒体Ｐの種類の検出が行われる（Ｓｔｅｐ９）。記録媒体識別の詳細については上述の通りである。プリンタ制御装置７０から記録媒体Ｐの種類情報を受信したプリントデータ作成部７２は、記録媒体Ｐの種類に応じたプリントデータを作成する（Ｓｔｅｐ１０）。
【００８４】
また、紙送り停止中に、媒体読み取り部５０を備えたキャリッジ１１を主走査方向にスキャンさせ、記録媒体Ｐの両端部を検出し、両端部の位置情報から紙幅寸法を算出し、プリントデータ作成部７２に送信する（Ｓｔｅｐ１１）。
【００８５】
媒体読み取り部５０を備えたキャリッジ１１は、再び記録媒体検出ポジションに移動し、紙送りローラ３０は記録媒体Ｐの給送を継続する（Ｓｔｅｐ１２）。このとき、記録媒体識別装置６０も記録媒体Ｐの速度情報の取得を継続する。
【００８６】
紙送りローラ３０による記録媒体Ｐの給送が進み、記録媒体識別装置６０の識別区域から記録媒体Ｐが抜けると、紙送りローラ３０は給送を停止する。このとき、記録媒体識別装置６０は記録媒体無しを認識し、プリンタ制御装置７０に送信する（Ｓｔｅｐ１３）。これにより、プリンタ制御装置７０は、記録媒体Ｐの先端が到達してから後端が抜けるまでの速度情報と時間情報を取得できるため、記録媒体Ｐの（搬送方向の）長さ寸法を算出し、プリントデータ作成部７２に送信する（Ｓｔｅｐ１４）。
【００８７】
プリントデータ作成部７２は、既に所有している記録媒体Ｐの紙幅寸法と合わせて、紙サイズ情報を作成する（Ｓｔｅｐ１５）。プリントデータ作成部７２は、既に作成している記録媒体Ｐの種類に応じたプリントデータを、紙サイズに合わせて補正、あるいは加工する。
【００８８】
さて、紙送りローラ３０の給送により、記録媒体Ｐは記録媒体識別装置６０の識別区域から抜けているため、記録媒体Ｐの（給紙時の）後端はプラテン３５の上面よりも高い位置まで到達している。このとき記録媒体Ｐの先端はプリンタ本体背面の排紙口から装置外に飛び出すような形になり、紙ジャムが発生しない。
【００８９】
次に、紙送りローラ３０は給紙時とは反対方向に回転を始め（Ｓｔｅｐ１６）、記録媒体Ｐは給紙時とは反対方向（矢印Ｂ方向）に搬送され、記録媒体Ｐはプラテン３５上の記録位置へと搬送される。また、この紙送りローラ３０の動作中にプリントデータ作成部７２はプリントデータの作成を行えるため、スループットに影響を与えることがなく、効率的である。
【００９０】
さらに、プリンタ制御装置７０はプリントデータ作成部７２からプリントデータを受信し、該データに基づく駆動命令を記録ヘッド１０、キャリッジモータ１２、紙送りモータ３４に送信し、それぞれ記録動作を行う（Ｓｔｅｐ１７）。記録媒体Ｐは、該記録動作により所望の出力結果を得て、排紙ローラ３２により排紙トレイ４０へと排出される。
【００９１】
また、本実施例ではプリンタ制御装置７０に対しホストコンピュータから印刷命令を送信したが、ホストコンピュータの代わりに、プリンタ本体にメモリカードスロットを設け、メモリカード内の画像を直接出力可能にした画像処理装置であってもよいし、また、画像処理機能を備えたデジタルカメラ等であってもよい。
【００９２】
上述のように、本実施例の記録装置によれば、一連の装置動作の初期で記録媒体Ｐの識別を行うことができるため、中間の給送、反転、搬送の動作中にプリントデータ作成を行え、スループットに影響を与えることなく、効率的である。また、記録媒体識別区域を紙送りローラ上に設けたため、記録媒体のバタツキ等が少なく、記録媒体識別装置の焦点距離が安定し、媒体識別精度を向上させることができる。また、記録媒体識別装置を用いて、記録媒体Ｐのサイズ検出が行えるため、サイズ検出にかかるコストダウンも可能である。
【００９３】
（実施例２）
図５に本実施例の要部を示す。
【００９４】
本実施例における記録装置は、実施例１に対し、記録媒体識別装置６０の媒体読み取り部５０をプラテン３５内部に配設し、給送路２５において記録媒体Ｐを識別するよう、構成されている。
【００９５】
次に、図６の動作フローチャートに沿って、本実施例の動作について説明する。
【００９６】
プリンタ制御装置７０がホストコンピュータから印刷命令を受信し、システムが起動する（Ｓｔｅｐ１）。システムが起動すると、記録媒体識別装置６０が起動し、記録媒体識別装置６０は光源５７をＯＮにし（Ｓｔｅｐ２）、媒体読み取り部５０が光源５７により照らされている給送路２５の識別区域の画像検出を始める（Ｓｔｅｐ３）。
【００９７】
プリンタ制御装置７０は記録媒体識別装置６０の起動を確認すると、自動給紙部２から給紙動作を開始する（Ｓｔｅｐ４）。分離部２１により１枚に分離された記録媒体Ｐは、プラテン３５と、ガイド部材３６および紙送りローラ３０との間に設けられた給送路２５へと導かれる。
【００９８】
また、給紙動作が開始されると、記録媒体識別装置６０は記録媒体有無の検出を始め、情報をプリンタ制御装置７０に返す（Ｓｔｅｐ５）。
【００９９】
記録媒体Ｐが記録媒体識別装置６０の識別区域内に進入すると、記録媒体識別装置６０は記録媒体有りを認識し、プリンタ制御装置７０に送信する（Ｓｔｅｐ６）。
【０１００】
紙送りローラ３０による給送が始まり（Ｓｔｅｐ７）、一定距離進んだところで紙送りを一旦停止し（Ｓｔｅｐ８）、記録媒体識別装置６０による記録媒体Ｐの種類の検出が行われる（Ｓｔｅｐ９）。記録媒体識別の詳細については上述の通りである。プリンタ制御装置７０から記録媒体Ｐの種類情報を受信したプリントデータ作成部７２は、記録媒体Ｐの種類に応じたプリントデータを作成する（Ｓｔｅｐ１０）。
【０１０１】
紙送りローラ３０による記録媒体Ｐの給送が継続し（Ｓｔｅｐ１１）、記録媒体Ｐの後端がプラテン３５の下部によってガイドされる領域から抜けると、紙送りローラ３０は給送停止する。
【０１０２】
次に、紙送りローラ３０は給紙時とは反対方向に回転を始め（Ｓｔｅｐ１２）、記録媒体Ｐは給紙時とは反対方向に搬送され、記録媒体Ｐはプラテン３５上の記録位置へと搬送される。また、この紙送りローラ３０の動作中にプリントデータ作成部７２はプリントデータの作成を行えるため、スループットに影響を与えることがなく、効率的である。
【０１０３】
さらに、プリンタ制御装置７０はプリントデータ作成部７２からプリントデータを受信し、該データに基づく駆動命令を記録ヘッド１０、キャリッジモータ１２、紙送りモータ３４に送信し、それぞれ記録動作を行う（Ｓｔｅｐ１３）。記録媒体Ｐは、該記録動作により所望の出力結果を得て、排紙ローラ３２により排紙トレイ４０へと排出される。
【０１０４】
上述のように、本実施例の記録装置によれば、一連の装置動作の初期で記録媒体Ｐの識別を行うことができるため、中間の給送、反転、搬送の動作中にプリントデータ作成を行え、スループットに影響を与えることなく、効率的である。
【０１０５】
【発明の効果】
以上、説明したように、本出願に係る第１の発明によれば、記録ヘッドと、該記録ヘッドを搭載し主走査方向に往復移動させるキャリッジと、前記主走査方向と直交する副走査方向に記録媒体を搬送する紙送りローラと、を有する記録装置において、前記キャリッジは、記録媒体の表面に当たるようにされた少なくとも一つの照明源と、該照明源によって照らされている前記記録媒体表面の区域から光を受け取る光電変換素子とを備え、前記光電変換素子の出力に対応する信号を受けるための処理装置であって、前記信号を処理して前記記録媒体を識別する処理装置を備えた記録媒体識別装置を有し、前記光電変換素子が光を受け取る記録媒体表面の区域が、前記紙送りローラ上であることを特徴とするため、記録媒体のバタツキ等が少なく、記録媒体識別装置の焦点距離が安定し、媒体識別精度が向上でき、かつ、記録媒体の搬送路と記録媒体の識別するタイミングの設定に自由度を与えることができ、スループットに影響を与えることなく記録媒体識別処理を行うことが可能である。
【０１０６】
また、本出願に係る第２の発明によれば、前記キャリッジが主走査方向に移動し、前記記録媒体識別装置により前記記録媒体の両端部を認識することで、前記記録媒体の幅寸法を検知することを特徴とするため、記録媒体の幅寸法検出のために、別のセンサを追加する必要がないため、記録装置のコストダウンが可能である。
【０１０７】
また、本出願に係る第３の発明によれば、前記記録媒体を給紙する給紙部を有し、該給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とするため、記録装置サイズのコンパクト化を行うことができ、且つ、スループットに影響を与えることなく記録媒体識別処理を行うことが可能である。
【０１０８】
また、本出願に係る第４の発明によれば、前記記録ヘッドに対向するように配設され、前記記録媒体を支持するためのプラテンを有し、前記プラテンの下に前記給紙部が配設され、前記給紙部から給紙された前記記録媒体は、前記プラテンと前記紙送りローラの間に設けられた搬送路を通り、前記紙送りローラにニップされることを特徴とするため、記録装置サイズのコンパクト化を行うことができ、且つ、スループットに影響を与えることなく記録媒体識別処理を行うことが可能である。
【０１０９】
また、本出願に係る第５の発明によれば、前記紙送りローラにニップされた前記記録媒体が装置内に給送される際に、前記記録媒体識別装置が前記記録媒体の先後端部を認識することで、前記記録媒体の長さ寸法を検知することを特徴とするため、記録媒体の長さ寸法検出のために、別のセンサを追加する必要がないため、記録装置のコストダウンが可能である。
【０１１０】
また、本出願に係る第６の発明によれば、前記記録ヘッドが、前記電気熱変換体によって印加される熱エネルギーにより、インクに生ずる膜沸騰を利用して吐出口よりインクを吐出させるインクジェット記録装置であって、前記キャリッジに備えられた前記照明源および前記光電変換素子と、前記記録ヘッドの前記吐出口との間に、インクミスト防止壁を有することを特徴とするため、前記照明源および前記光電変換素子のインクミストによるインク汚れを防止することができ、耐久性の向上が可能である。
【０１１１】
また、本出願に係る第７の発明によれば、記録ヘッドと、該記録ヘッドを搭載し主走査方向に往復移動させるキャリッジと、前記主走査方向と直交する副走査方向に記録媒体を搬送する紙送りローラと、前記記録媒体を給紙する給紙部と、を有する記録装置において、記録媒体の表面に当たるようにされた少なくとも一つの照明源と、該照明源によって照らされている前期記録媒体表面の区域から光を受け取る光電変換素子と、前記光電変換素子の出力に対応する信号を受けるための処理装置であって、前記信号を処理して前記記録媒体を識別する処理装置を備えた記録媒体識別装置と、を有し、前記給紙部による給紙動作を開始する段階で前記記録媒体識別装置による紙種検知を行うことを特徴とするため、スループットに影響を与えることなく記録媒体識別処理を行うことが可能である。
【０１１２】
また、本出願に係る第８の発明によれば、前記キャリッジが、前記照明源と前記光電変換素子とを備えることを特徴とするため、記録媒体の搬送路に自由度を与えることが可能である。
【０１１３】
また、本出願に係る第９の発明によれば、前記キャリッジが主走査方向に移動し、前記記録媒体識別装置により記録媒体の両端部を認識することで、記録媒体の幅寸法を検知することを特徴とするため、記録媒体の幅寸法検出のために、別のセンサを追加する必要がないため、記録装置のコストダウンが可能である。
【０１１４】
また、本出願に係る第１０の発明によれば、前記光電変換素子が光を受け取る記録媒体表面の区域が、前記紙送りローラ上であることを特徴とするため、記録媒体のバタツキ等が少なく、記録媒体識別装置の焦点距離が安定し、媒体識別精度が向上でき、かつ、記録媒体の搬送路と記録媒体の識別するタイミングの設定に自由度を与えることができ、スループットに影響を与えることなく記録媒体識別処理を行うことが可能である。
【０１１５】
また、本出願に係る第１１の発明によれば、前記給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とするため、記録装置サイズのコンパクト化を行うことができ、且つ、スループットに影響を与えることなく記録媒体識別処理を行うことが可能である。
【０１１６】
また、本出願に係る第１２の発明によれば、前記記録ヘッドに対向するように配設され、前記記録媒体を支持するためのプラテンを有し、前記プラテンの下に前記給紙部が配設され、前記給紙部から給紙された前記記録媒体は、前記プラテンと前記紙送りローラの間に設けられた搬送路を通り、前記紙送りローラにニップされることを特徴とするため、記録装置サイズのコンパクト化を行うことができ、且つ、スループットに影響を与えることなく記録媒体識別処理を行うことが可能である。
【０１１７】
また、本出願に係る第１３の発明によれば、前記紙送りローラと前記ピンチローラにニップされた前記記録媒体が搬送される際に、前記記録媒体識別装置が前記記録媒体の先後端部を認識することで、記録媒体の長さ寸法を検知することを特徴とするため、記録媒体の長さ寸法検出のために、別のセンサを追加する必要がないため、記録装置のコストダウンが可能である。
【０１１８】
また、本出願に係る第１４の発明によれば、前記記録ヘッドが、前記電気熱変換体によって印加される熱エネルギーにより、インクに生ずる膜沸騰を利用して吐出口よりインクを吐出させるインクジェット記録装置であって、前記キャリッジに備えられた前記照明源および前記光電変換素子と、前記記録ヘッドの前記吐出口との間に、インクミスト防止壁を有することを特徴とするため、前記照明源および前記光電変換素子のインクミストによるインク汚れを防止することができ、耐久性の向上が可能である。
【０１１９】
また、本出願に係る第１５の発明によれば、記録ヘッドと、該記録ヘッドを搭載し主走査方向に往復移動させるキャリッジと、前記主走査方向と直交する副走査方向に記録媒体を搬送する紙送りローラと、を有する記録装置において、記録媒体の表面に当たるようにされた少なくとも一つの照明源と、該照明源によって照らされている前期記録媒体表面の区域から光を受け取る光電変換素子と、前記光電変換素子の出力に対応する信号を受けるための処理装置であって、前記信号を処理して前記記録媒体を識別する処理装置を備えた記録媒体識別装置と、を有し、前記記録媒体識別装置から信号を受けるプリンタ制御装置を有し、前記プリンタ制御装置から信号を受信し前記記録媒体識別装置により識別した前記記録媒体に最適な記録データを作成する記録データ作成部を有し、前記給紙部からの給紙動作の際に紙種検知を行い、該紙種情報を前記記録媒体識別装置からプリンタ制御部に送信し、前記記録媒体が、前記紙送りローラの回転によって装置内に給送され、前記給紙部を完全に抜けた後に前記給送方向と反対方向に搬送され、前記記録ヘッドによる記録開始位置にセットされるまでの給紙時間中に、前記記録データ作成部が前記記録データを作成することを特徴とするため、スループットに影響を与えることなく、記録媒体識別処理から記録データ作成を行うことが可能である。
【０１２０】
また、本出願に係る第１６の発明によれば、前記データ作成部が、記録装置内部に備わっていることを特徴とするため、ホストが不要で、記録装置内部でクローズしたシステムの構築が可能である。
【０１２１】
また、本出願に係る第１７の発明によれば、前記データ作成部が、該記録装置が接続されているパーソナルコンピュータ（ＰＣ）に備わっていることを特徴とするため、記録装置の制御装置を簡略化でき、コストダウンが可能である。
【０１２２】
また、本出願に係る第１８の発明によれば、前記キャリッジが、前記照明源と前記光電変換素子とを備えることを特徴とするため、記録媒体の搬送路に自由度を与えることが可能である。
【０１２３】
また、本出願に係る第１９の発明によれば、前記キャリッジが主走査方向に移動し、前記記録媒体識別装置により記録媒体の両端部を認識することで、記録媒体の幅寸法を検知することを特徴とするため、記録媒体の幅寸法検出のために、別のセンサを追加する必要がないため、記録装置のコストダウンが可能である。
【０１２４】
また、本出願に係る第２０の発明によれば、前記光電変換素子が光を受け取る記録媒体表面の区域が、前記紙送りローラ上であることを特徴とするため、記録媒体のバタツキ等が少なく、記録媒体識別装置の焦点距離が安定し、媒体識別精度が向上でき、かつ、記録媒体の搬送路と記録媒体の識別するタイミングの設定に自由度を与えることができ、スループットに影響を与えることなく記録媒体識別処理を行うことが可能である。
【０１２５】
また、本出願に係る第２１の発明によれば、前記記録媒体を給紙する給紙部を有し、該給紙部から給紙されてきた前記記録媒体を、前記紙送りローラの回転によって装置内に給送し、さらに、前記記録ヘッドによる記録時には前記給送方向と反対方向に前記記録媒体を搬送することを特徴とするため、記録装置サイズのコンパクト化を行うことができ、且つ、スループットに影響を与えることなく記録媒体識別処理を行うことが可能である。
【０１２６】
また、本出願に係る第２２の発明によれば、前記記録ヘッドに対向するように配設され、前記記録媒体を支持するためのプラテンを有し、前記プラテンの下に前記給紙部が配設され、前記給紙部から給紙された前記記録媒体は、前記プラテンと前記紙送りローラの間に設けられた搬送路を通り、前記紙送りローラにニップされることを特徴とするため、記録装置サイズのコンパクト化を行うことができ、且つ、スループットに影響を与えることなく記録媒体識別処理を行うことが可能である。
【０１２７】
また、本出願に係る第２３の発明によれば、前記紙送りローラにニップされた前記記録媒体が搬送される際に、前記記録媒体識別装置が前記記録媒体の先後端部を認識することで、記録媒体の長さ寸法を検知することを特徴とするため、記録媒体の長さ寸法検出のために、別のセンサを追加する必要がないため、記録装置のコストダウンが可能である。
【０１２８】
また、本出願に係る第２４の発明によれば、前記記録ヘッドが、前記電気熱変換体によって印加される熱エネルギーにより、インクに生ずる膜沸騰を利用して吐出口よりインクを吐出させるインクジェット記録装置であって、前記キャリッジに備えられた前記照明源および前記光電変換素子と、前記記録ヘッドの前記吐出口との間に、インクミスト防止壁を有することを特徴とするため、前記照明源および前記光電変換素子のインクミストによるインク汚れを防止することができ、耐久性の向上が可能である。
【図面の簡単な説明】
【図１】本発明に係る実施例１の要部を示した概略図。
【図２】本発明に係る実施例１の媒体読み取り部の概略断面図。
【図３】本発明に係る実施例１の構成要素のブロック図。
【図４】本発明に係る実施例１の動作フローチャート。
【図５】本実施例の要部を示す図。
【図６】動作フローチャート。
【符号の説明】
１  記録部
２  自動給紙部
３  搬送部
１０  記録ヘッド
１１  キャリッジ
１２  キャリッジモータ
１３  キャリッジベルト
１４  ガイド軸
１５  インクミスト防止壁
２０  給紙ローラ
２１  分離部
２２  記録媒体積載部
２５  給送路
３０  紙送りローラ
３１  ピンチローラ
３２  排紙ローラ
３３  拍車
３４  紙送りモータ
３５  プラテン
３６、３７  ガイド部材
３８、３９  ギアトレイン
４０  排紙トレイ
５０  媒体読み取り部
５１  媒体読み取り部筐体
５２  照明レンズ
５３、５４  結像レンズ
５５  鏡筒
５６  光電変換素子
５７  光源
６０  記録媒体識別装置
６１  媒体識別処理部
６２  アナログ・デジタル変換器
７０  プリンタ制御装置
７１  入出力部
７２  プリントデータ作成部
【図１】
2004351653.tif 000003
【図２】
2004351653.tif 000004
【図３】
2004351653.tif 000005
【図４】
2004351653.tif 000006
【図５】
2004351653.tif 000007
【図６】
2004351653.tif 000008